Podtech/llm-jp-corpus-v4-ja_patent huggingface dataset:
【手続補正書】
【提出日】平成29年4月19日(2017.4.19)
【手続補正１】
【補正対象書類名】明細書
【補正対象項目名】０００６
【補正方法】変更
【補正の内容】
【０００６】
第１の観点からすると、物体を保持する保持装置であって、前記物体を吸着して保持可能な保持部材と、音圧を発生させる音圧源と、前記物体に前記音圧を放射している状態で、該物体に対する前記吸着の動作を行なわせるよう、前記保持部材と前記音圧源とを制御する制御装置と、を備える保持装置が、提供される。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
第２の観点からすると、エネルギビームを照射して物体上にパターンを形成する露光装置であって、第１の観点に係る保持装置を備え、前記保持部材で保持されている物体に対して前記エネルギビームを照射する露光装置が、提供される。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
第３の観点からすると、物体を保持する保持方法であって、前記物体を吸着可能な保持部材に該物体を載置することと、音圧源から発生させた音圧を前記物体に放射することと、前記物体に前記音圧を放射している状態で、前記保持部材で前記物体に対する前記吸着の動作を行なうことと、を含む保持方法が、提供される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
第４の観点からすると、エネルギビームを照射して物体上にパターンを形成する露光方法であって、第３の観点に係る保持方法を利用して前記保持部材に保持された前記物体に対して前記エネルギビームを照射する、露光方法が、提供される。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
第５の観点からすると、第４の観点に係る露光方法を用いて、物体上にパターンを形成することと、前記パターンが形成された前記物体を現像することと、を含むデバイス製造方法が、提供される。
【手続補正１０】
【補正対象書類名】特許請求の範囲
【補正対象項目名】全文
【補正方法】変更
【補正の内容】
【特許請求の範囲】
【請求項１】
物体を保持する保持装置であって、
前記物体を吸着して保持可能な保持部材と、
音圧を発生させる音圧源と、
前記物体に前記音圧を放射している状態で、該物体に対する前記吸着の動作を行なわせるよう、前記保持部材と前記音圧源とを制御する制御装置と、を備える保持装置。
【請求項２】
前記制御装置は、前記物体に前記音圧の放射を開始した後に、前記吸着の動作を開始する、請求項１に記載の保持装置。
【請求項３】
前記制御装置は、前記物体が前記保持部材に載置されてから、前記吸着の動作を開始させる、請求項１又は２に記載の保持装置。
【請求項４】
前記音圧源は、前記物体から離れた位置から該物体に前記音圧を放射する、請求項１〜３のいずれか一項に記載の保持装置。
【請求項５】
前記音圧は、指向性を有し、前記音圧源と前記物体との間に形成される空間を前記物体に向かって進行する請求項４に記載の保持装置。
【請求項６】
前記物体は、少なくとも一部が前記保持部材と接する第一の面と、該第一の面とは反対側にある第二の面とを有する板状の部材であって、前記音圧は、前記第二の面に向けて放射される請求項１〜５のいずれか一項に記載の保持装置。
【請求項７】
前記音圧源は、前記物体に対し、斜め上方から前記第二の面に前記音圧を放射する請求項６に記載の保持装置。
【請求項８】
前記音圧源は、前記物体に対し、前記第二の面の中央から外れた端部に前記音圧を放射する請求項１〜７のいずれか一項に記載の保持装置。
【請求項９】
前記音圧源は、超音波スピーカである、請求項１〜８のいずれか一項に記載の保持装置。
【請求項１０】
前記物体を支持して該物体を前記保持部材に対して移動させる移動装置をさらに備え、
前記音圧源は、前記移動装置に設けられる、請求項１〜９のいずれか一項に記載の保持装置。
【請求項１１】
エネルギビームを照射して物体上にパターンを形成する露光装置であって、
請求項１〜１０のいずれか一項に記載の保持装置を備え、
前記保持部材で保持されている物体に対して前記エネルギビームを照射する露光装置。
【請求項１２】
物体を保持する保持方法であって、
前記物体を吸着可能な保持部材に該物体を載置することと、
音圧源から発生させた音圧を前記物体に放射することと、
前記物体に前記音圧を放射している状態で、前記保持部材で前記物体に対する前記吸着の動作を行なうことと、を含む保持方法。
【請求項１３】
前記物体に対し、前記音圧の放射を開始した後に、前記吸着の動作を開始する、請求項１２に記載の保持方法。
【請求項１４】
前記保持部材に前記物体が載置された後に前記吸着の動作を開始する、請求項１２又は１３に記載の保持方法。
【請求項１５】
前記音圧源は、前記物体から離れた位置から該物体に前記音圧を放射する、請求項１２〜１４のいずれか一項に記載の保持方法。
【請求項１６】
前記音圧は指向性を有し、前記音圧源と前記物体との間に形成される空間を前記物体に向かって進行する請求項１５に記載の保持方法。
【請求項１７】
前記物体は、少なくとも一部が前記保持部材と接する第一の面と、該第一の面とは反対側にある第二の面とを有する板状の部材であって、前記音圧は、前記第二の面に向けて放射される、請求項１２〜１６のいずれか一項に記載の保持方法。
【請求項１８】
前記音圧源は、前記物体に対し、斜め上方から前記第二の面に前記音圧を放射する請求項１７に記載の保持方法。
【請求項１９】
前記音圧源は、前記物体に対し、前記第二の面の中央から外れた端部に前記音圧を放射する請求項１２〜１８のいずれか一項に記載の保持方法。
【請求項２０】
前記音圧源は、超音波スピーカである、請求項１２〜１９のいずれか一項に記載の保持方法。
【請求項２１】
エネルギビームを照射して物体上にパターンを形成する露光方法であって、
請求項１２〜２０のいずれか一項に記載の保持方法を利用して前記保持部材に保持された前記物体に対して前記エネルギビームを照射する、露光方法。
【請求項２２】
請求項２１に記載の露光方法を用いて、物体上にパターンを形成することと、
前記パターンが形成された前記物体を現像することと、を含むデバイス製造方法。
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
複数の信号を含む第１信号群を読み込む読込手段と、
複数の信号を含む第２信号群が記憶された記憶手段と、
前記読込手段によって読み込まれた第１信号群に含まれる信号と前記記憶手段に記憶された第２信号群に含まれる信号のうち第１信号群に含まれる当該信号に対応する信号との類似度を、第１信号群に含まれる複数の信号について算出する第１類似度算出手段と、
前記第１類似度算出手段によって算出された複数の類似度に基づいて、前記読込手段によって読み込まれた第１信号群と前記記憶手段に記憶された第２信号群との類似度を算出する第２類似度算出手段と、
を備え、
前記記憶手段に複数の第２信号群が記憶され、
前記第１類似度算出手段は、前記読込手段によって読み込まれた第１信号群と前記記憶手段に記憶された各第２信号群とについて信号間の類似度を算出し、
前記第２類似度算出手段は、前記読込手段によって読み込まれた第１信号群と前記記憶手段に記憶された各第２信号群との類似度を算出し、
第１信号群及び各第２信号群は、エレベーターに備えられた複数のセンサからの信号を含み、
各第２信号群は、エレベーターの故障箇所を示す故障情報と紐付けて前記記憶手段に記憶された検索システム。
【請求項２】
表示器を制御する表示制御部を更に備え、
前記表示制御部は、前記第２類似度算出手段によって算出された類似度と第２信号群に紐付けられた故障情報とに基づいて、発生している可能性が高い故障箇所を前記表示器に表示させる請求項１に記載の検索システム。
【請求項３】
表示器を制御する表示制御部を更に備え、
前記表示制御部は、前記第２類似度算出手段によって算出された類似度順に、第２信号群を示す情報を前記表示器に表示させる請求項１に記載の検索システム。
【請求項４】
第１信号群及び各第２信号群は、信号長が異なる複数の信号を含み、
前記第１類似度算出手段は、類似度の最大値が信号長に因らず同じ値になるように信号間の類似度を算出する請求項１から請求項３の何れか一項に記載の検索システム。
【請求項５】
第１信号群及び各第２信号群は、重要度及び信号長が異なる複数の信号を含み、
前記第１類似度算出手段は、重要度が同じ信号については、類似度の最大値が信号長に因らず同じ値になるように信号間の類似度を算出する請求項１から請求項３の何れか一項に記載の検索システム。
【請求項６】
前記記憶手段に記憶された第２信号群に含まれる信号の中から除外信号を特定する特定手段を更に備え、
前記第１類似度算出手段は、前記特定手段によって特定された除外信号については、信号間の類似度を算出しない請求項１から請求項５の何れか一項に記載の検索システム。
【請求項７】
前記特定手段は、同じ故障情報が紐付けられた第２信号群について対応する信号間の類似度を算出し、その故障情報について類似度のばらつきが閾値を超える信号を特定し、全ての故障情報について類似度のばらつきが閾値を超える信号を除外信号に特定する請求項６に記載の検索システム。
【手続補正２】
【補正対象書類名】明細書
【補正対象項目名】０００６
【補正方法】変更
【補正の内容】
【０００６】
この発明に係る検索システムは、複数の信号を含む第１信号群を読み込む読込手段と、複数の信号を含む第２信号群が記憶された記憶手段と、読込手段によって読み込まれた第１信号群に含まれる信号と記憶手段に記憶された第２信号群に含まれる信号のうち第１信号群に含まれる当該信号に対応する信号との類似度を、第１信号群に含まれる複数の信号について算出する第１類似度算出手段と、第１類似度算出手段によって算出された複数の類似度に基づいて、読込手段によって読み込まれた第１信号群と記憶手段に記憶された第２信号群との類似度を算出する第２類似度算出手段と、を備える。記憶手段に複数の第２信号群が記憶される。第１類似度算出手段は、読込手段によって読み込まれた第１信号群と記憶手段に記憶された各第２信号群とについて信号間の類似度を算出する。第２類似度算出手段は、読込手段によって読み込まれた第１信号群と記憶手段に記憶された各第２信号群との類似度を算出する。第１信号群及び各第２信号群は、エレベーターに備えられた複数のセンサからの信号を含む。各第２信号群は、エレベーターの故障箇所を示す故障情報と紐付けて記憶手段に記憶される。
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
車両の周囲において一部が重複する各撮像領域をそれぞれ撮像するように前記車両に搭載された複数の撮像装置（１０）の各撮像画像の中から予め定められた対象物を認識する画像認識部（２１）と、
前記画像認識部により認識された対象物を含む撮像領域が二つの前記撮像装置の何れでも撮像可能な重複領域である場合、当該二つの撮像装置の各撮像画像を予め設定された仮想視点から見た画像にそれぞれ変換して各変換画像を一部重ねて繋ぎ合わせた合成画像を生成する際に、当該二つの変換画像が重なり合う重複画像領域において各変換画像部分を予め設定されたブレンド率で合成する画像合成部（２３）と、
前記画像認識部による前記対象物の認識結果に基づき、前記重複画像領域における各変換画像部分のブレンド率を設定する画像設定部（２４）と、
前記画像設定部により設定されたブレンド率で前記画像合成部により前記重複画像領域における各変換画像部分が合成された前記合成画像を運転支援画像として、前記車両に搭載された表示装置（３０）に前記運転支援画像を出力する画像出力部（２６）と、
を備える車載表示制御装置であって、
前記画像設定部は、前記重複画像領域における各変換画像部分のうち、前記対象物の位置に関する所定の対象物位置条件が成立する方の撮像画像を基にした変換画像部分に関する前記ブレンド率を、他方の変換画像部分に関する前記ブレンド率よりも高く設定する際に、前記二つの撮像装置の各撮像画像中の前記対象物の位置について、当該各撮像画像の中心からの距離を比較し、当該各撮像画像の中心からの距離が小さいほど、前記ブレンド率を高く設定する（Ｓ３５０、Ｓ３７０）、
ことを特徴とする車載表示制御装置。
【請求項２】
請求項１に記載の車載表示制御装置であって、
前記画像設定部は、前記重複画像領域における各変換画像部分のうち、前記対象物の認識精度が高い方の撮像画像を基にした変換画像部分に関する前記ブレンド率を、他方の変換画像部分に関する前記ブレンド率よりも高く設定する（Ｓ３３０、Ｓ３７０）、
ことを特徴とする車載表示制御装置。
【請求項３】
請求項１又は請求項２に記載の車載表示制御装置であって、
前記画像設定部は、前記重複画像領域における前記各変換画像部分のうち、前記対象物の警告優先度が高い方の撮像画像を基にした変換画像部分に関する前記ブレンド率を、他方の変換画像部分に関する前記ブレンド率よりも高く設定する（Ｓ３４０、Ｓ３７０）、
ことを特徴とする車載表示制御装置。
【請求項４】
車両の周囲において一部が重複する各撮像領域をそれぞれ撮像するように前記車両に搭載された複数の撮像装置（１０）の各撮像画像の中から予め定められた対象物を認識する画像認識工程（２１）と、
前記画像認識工程により認識された対象物を含む撮像領域が二つの前記撮像装置の何れでも撮像可能な重複領域である場合、当該二つの撮像装置の各撮像画像を予め設定された仮想視点から見た画像にそれぞれ変換して各変換画像を一部重ねて繋ぎ合わせた合成画像を生成する際に、当該二つの変換画像が重なり合う重複画像領域において各変換画像部分を予め設定されたブレンド率で合成する画像合成工程（２３）と、
前記画像認識工程による前記対象物の認識結果に基づき、前記重複画像領域における各変換画像部分のブレンド率を設定する画像設定工程（２４）と、
前記画像設定工程により設定されたブレンド率で前記画像合成工程により前記重複画像領域における各変換画像部分が合成された前記合成画像を運転支援画像として、前記車両に搭載された表示装置（３０）に前記運転支援画像を出力する画像出力工程（２６）と、
を備える車載表示制御方法であって、
前記画像設定工程は、前記重複画像領域における各変換画像部分のうち、前記対象物の位置に関する所定の対象物位置条件が成立する方の撮像画像を基にした変換画像部分に関する前記ブレンド率を、他方の変換画像部分に関する前記ブレンド率よりも高く設定する際に、前記二つの撮像装置の各撮像画像中の前記対象物の位置について、当該各撮像画像の中心からの距離を比較し、当該各撮像画像の中心からの距離が小さいほど、前記ブレンド率を高く設定する（Ｓ３５０、Ｓ３７０）、
ことを特徴とする車載表示制御方法。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
放射線発生装置から照射された放射線を検出して画像データを生成するセンサと、前記センサから前記画像データを受信して、前記画像データに画像処理を施すコントローラと、からなる撮影システムであって、
前記コントローラは、前記センサが既に撮影した未送信の画像データを保持しているか否かを判定し、未送信の画像データを保持している場合に、前記センサが未送信の画像データを保持していることを示すメッセージを、表示部に表示させる制御手段を有することを特徴とする撮影システム。
【請求項２】
前記制御手段は、前記センサが未送信の画像データを保持しているか否かに基づいて、前記センサの使用の可否を制御することを特徴とする請求項１に記載の撮影システム。
【請求項３】
前記コントローラは、前記センサの接続時に、前記センサが未送信の画像データを保持しているか否かを判定することを特徴とする請求項１又は２に記載の撮影システム。
【請求項４】
前記センサは、
撮影した画像データを保持する記憶手段と、
前記記憶手段に保持された画像データを前記コントローラに送信する送信手段と、を有し、
前記コントローラは、
前記送信手段により送信された画像データを受信する受信手段と、
受信した画像データに撮影情報を付与して撮影データを生成する生成手段と、を有し、
前記制御手段は、前記記憶手段における未送信の画像データの有無に応じて、前記センサの使用の可否を制御することを特徴とする請求項２又は３に記載の撮影システム。
【請求項５】
前記制御手段は、前記記憶手段に前記未送信の画像データが存在する場合は、前記センサの使用を不可とすることを特徴とする請求項４に記載の撮影システム。
【請求項６】
前記制御手段は、前記未送信の画像データが、前記センサが前記コントローラとの接続中に撮影されたものであれば、前記センサの使用を許可することを特徴とする請求項４又は５に記載の撮影システム。
【請求項７】
前記センサは、前記画像データに撮影情報を付与する付与手段を有し、
前記コントローラは、前記撮影情報を管理する管理手段を有し、
前記制御手段は、前記未送信の画像データに付与された撮影情報が前記管理手段で管理されていれば、前記センサの使用を許可することを特徴とする請求項２に記載の撮影システム。
【請求項８】
前記コントローラは、前記未送信の画像データが存在する場合に、前記未送信の画像データを削除するか否かを指示する入力手段を有し、
前記制御手段は、前記未送信の画像データの削除の指示が入力されたとき、前記センサへ前記未送信の画像データの削除を要求し、前記センサから前記削除を行った旨の応答を受けた後に、前記センサの使用を許可することを特徴とする請求項２乃至７の何れか１項に記載の撮影システム。
【請求項９】
前記コントローラは、前記センサの情報を登録する登録手段を有し、
前記生成手段は、前記受信した画像データに撮影情報および前記センサの情報を付与して前記撮影データを生成し、
前記制御手段は、前記記憶手段に前記未送信の画像データが存在する場合に、前記登録手段による前記センサの情報の登録を不可とすることを特徴とする請求項４に記載の撮影システム。
【請求項１０】
前記制御手段は、前記センサに対し、未送信の画像データを保持しているか否かの確認を要求し、確認の要求に対する前記センサからの応答によって、前記センサが前記未送信の画像データを保持しているか否かを判定することを特徴とする請求項１又は２に記載の撮影システム。
【請求項１１】
放射線発生装置から照射された放射線をセンサで検出して画像データを生成し、前記センサから前記画像データをコントローラに送信して、前記画像データに画像処理を施す撮影システムにおける撮影制御方法であって、
前記センサが既に撮影した未送信の画像データを保持しているか否かを判定し、未送信の画像データを保持している場合に、前記センサが未送信の画像データを保持していることを示すメッセージを、前記コントローラの表示部に表示させることを特徴とする撮影制御方法。
【請求項１２】
請求項１１に記載の撮影制御方法をコンピュータに実行させるためのプログラム。
【手続補正２】
【補正対象書類名】明細書
【補正対象項目名】０００９
【補正方法】変更
【補正の内容】
【０００９】
上記目的を達成するための一手段として、本発明の撮影システムは以下の構成を備える。すなわち、放射線発生装置から照射された放射線を検出して画像データを生成するセンサと、前記センサから前記画像データを受信して、前記画像データに画像処理を施すコントローラと、からなる撮影システムであって、
前記コントローラは、前記センサが既に撮影した未送信の画像データを保持しているか否かを判定し、未送信の画像データを保持している場合に、前記センサが未送信の画像データを保持していることを示すメッセージを、表示部に表示させる制御手段を有する。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
流入口から流入する所定の液体と空気を混合する混合室と、
前記混合室の下流に配置され、前記混合室から出てきた、前記液体と前記空気の混合物が通る際に、該混合物をムース状にする網目状のメッシュ部と、
前記メッシュ部を擦って清掃するための清掃部材と、
前記メッシュ部を通る流体の流れから力を受けて、前記清掃部材が前記メッシュ部を擦るように、前記清掃部材と前記メッシュ部を相対移動させる駆動機構と、
を有する
ことを特徴とするムース生成装置。
【請求項２】
前記駆動機構は、前記流体の流れから力を受けて回転する回転体を備え、前記回転体の回転運動を前記清掃部材と前記メッシュ部の一方に伝達して該一方を回転させることで、前記清掃部材が前記メッシュ部を擦るように前記清掃部材と前記メッシュ部を相対移動させる
ことを特徴とする請求項１に記載のムース生成装置。
【請求項３】
前記清掃部材と前記メッシュ部の前記一方は前記回転体と一体にされて前記回転体と共に回転する
ことを特徴とする請求項２に記載のムース生成装置。
【請求項４】
前記流体を、前記回転体のうちの該回転体の回転中心から外側へシフトした位置に向けて吐出する吐出口を有する
ことを特徴とする請求項２または３に記載のムース生成装置。
【請求項５】
前記回転体は、羽で前記流体の流れから力を受けて回転する
ことを特徴とする請求項２乃至４のいずれか１つに記載のムース生成装置。
【請求項６】
前記羽は、前記回転体の径方向に延びる複数枚で構成され、各羽は前記流体から力を受ける面が前記回転体の回転軸と平行にされており、
前記回転体は、回転軸の先端が前記流体の流れの斜め上流側を向くように配置されている
ことを特徴とする請求項５に記載のムース生成装置。
【請求項７】
前記回転軸は、前記メッシュ部に垂直にされており、
前記羽の前記メッシュ部側の端部は前記清掃部材としてのブラシを植毛し得る厚みにされて前記ブラシが植毛されている
ことを特徴とする請求項６に記載のムース生成装置。
【請求項８】
前記回転体は前記回転軸に垂直であって前記回転軸を中心に回転する円板部を有し、前記羽は該円板部に立設されている
ことを特徴とする請求項６または７に記載のムース生成装置。
【請求項９】
前記羽は、前記回転体の反回転方向に凹となるように湾曲した形状を有する
ことを特徴とする請求項５乃至８のいずれか１つに記載のムース生成装置。
【請求項１０】
前記清掃部材は、ブラシである
ことを特徴とする請求項１乃至９のいずれか１つに記載のムース生成装置。
【請求項１１】
前記ブラシは、１本１本の毛先が前記メッシュ部の網目の中に入るサイズにされている
ことを特徴とする請求項１０に記載のムース生成装置。
【請求項１２】
前記清掃部材は、互いの清掃範囲が異なるように位置をずらして複数個所に設けられている
ことを特徴とする請求項１乃至１１のいずれか１つに記載のムース生成装置。
【請求項１３】
前記流体は、前記流入口から流入する前記液体と空気の混合物、あるいは前記流入口から流入する空気である
ことを特徴とする請求項１乃至１２のいずれか１つに記載のムース生成装置。
【請求項１４】
前記液体は、液体石鹸である
ことを特徴とする請求項１乃至１３のいずれか１つに記載のムース生成装置。
【手続補正２】
【補正対象書類名】明細書
【補正対象項目名】００１２
【補正方法】変更
【補正の内容】
【００１２】
［３］前記清掃部材と前記メッシュ部の前記一方は前記回転体と一体にされて前記回転体と共に回転する
ことを特徴とする［２］に記載のムース生成装置。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
前胴周り域と、後胴周り域と、前記前胴周り域と前記後胴周り域との間に位置する股下域と、を有し、
前記前胴周り域から前記後胴周り域に向かう長手方向と、前記長手方向と直交する幅方向と、を有し、
前記後胴周り域において前記幅方向に沿って延び、前記前胴周り域に止着される一対のファスニングテープと、
前記股下域を跨ぎ前記前胴周り域及び前記後胴周り域の少なくとも一方に向かって延びる吸収コアと、
前記一対のファスニングテープ間に配置され、前記幅方向に伸縮する腰周り伸縮部と、を有する使い捨ておむつであって、
前記腰周り伸縮部は、前記使い捨ておむつの幅方向の中心から幅方向の両外側に向かって延びており、
前記腰周り伸縮部は、第１領域と、前記第１領域よりも幅方向の内側に位置し、前記第１領域と伸長率が異なる第２領域と、前記第２領域よりも幅方向の内側に位置し、前記第２領域と伸長率が異なる第３領域と、を有する、使い捨ておむつ。
【請求項２】
前記第１領域は、前記腰周り伸縮部の両外側縁から幅方向内側に向かって延び、
前記第２領域は、前記第１領域の内側縁から幅方向内側に向かって延び、
前記第３領域は、前記第２領域の内側縁から幅方向内側に向かって延びる、請求項１に記載の使い捨ておむつ。
【請求項３】
前記第１領域、前記第２領域及び前記第３領域のうち、最も伸長率が低い領域の少なくとも一部は、前記吸収コアの外側縁よりも幅方向の内側に位置する、請求項１又は請求項２に記載の使い捨ておむつ。
【請求項４】
前記第２領域の伸長率は、前記第１領域の伸長率よりも低く、かつ前記第３領域の伸長率よりも低い、請求項１から請求項３のいずれかに記載の使い捨ておむつ。
【請求項５】
前記腰周り伸縮部の少なくとも一部は、前記使い捨ておむつの平面視において前記吸収コアに重なり、
前記腰周り伸縮部は、前記吸収コアよりも非肌対向面側に位置する、請求項１から請求項４のいずれかに記載の使い捨ておむつ。
【請求項６】
前記第１領域の外側縁は、前記吸収コアの外側縁よりも幅方向の外側に位置し、
前記第１領域の内側縁は、前記吸収コアの外側縁よりも幅方向の内側に位置する、請求項１から請求項５のいずれかに記載の使い捨ておむつ。
【請求項７】
前記第３領域は、前記使い捨ておむつの幅方向の中心を跨いで配置され、
前記第３領域の前記幅方向の伸長率は、前記第１領域の前記幅方向の伸長率よりも高い、請求項１から請求項６のいずれかに記載の使い捨ておむつ。
【請求項８】
前記吸収コアの後端縁の前記幅方向の中央には、前記吸収コアの他の部位よりも吸収材料の目付けが低い低目付領域が形成されており、
前記第３領域は、平面視において前記低目付領域の少なくとも一部と重なる、請求項１から請求項７のいずれかに記載の使い捨ておむつ。
【請求項９】
前記吸収コアよりも肌対向面側に位置し、前記吸収コアよりも前記幅方向の外側に延びるサイドフラップを有し、
前記サイドフラップの後端縁は、前記サイドフラップの外側縁から幅方向の内側に延びる一定範囲において、前記長手方向の内側に凹んでいる、請求項１から請求項８のいずれかに記載の使い捨ておむつ。
【手続補正２】
【補正対象書類名】明細書
【補正対象項目名】００５９
【補正方法】変更
【補正の内容】
【００５９】
第１領域851の内側縁は、吸収コア40aの外側縁よりも幅方向の内側に位置する。ファスニングテープを引っ張って装着する際に、装着補助者は、第１領域を伸ばしてファスニングテープを止着する。また、第１領域を伸ばしてファスニングテープを止着する際に、吸収コアは、着用者の身体の下に配置されており、体圧がかかっている。第１領域の内側縁が吸収コアの外側縁よりも幅方向の内側に配置されているため、吸収コアの内側縁は、ファスニングテープを引っ張って装着する際に、着用者の身体の下で移動し難い状態である。よって、第１領域851の内側縁が、吸収コア40aの外側縁よりも幅方向の内側に位置すると、ファスニングテープを引っ張った際に、第１領域851の内側縁が基点となって第１領域851を伸ばし易くなる。
【手続補正３】
【補正対象書類名】明細書
【補正対象項目名】００６４
【補正方法】変更
【補正の内容】
【００６４】
10…使い捨ておむつ
20…前胴周り域
25…股下域
30…後胴周り域
35…レッグ開口部
40…吸収体
40a…吸収コア
40b…コアラップ
50…トップシート
60…外装シート
60a…バックシート
70…サイドフラップ
75…レッグ伸縮部
80…レッグサイド伸縮部
85…腰周り伸縮部
851…第１領域
852…第２領域
853…第３領域
90…ファスニングテープ
110…低目付領域
115…第１切欠き
125…第２切欠き
200…クロッチ伸縮部
L…長手方向
W…幅方向
【手続補正書】
【提出日】平成29年10月21日(2017.10.21)
【手続補正１】
【補正対象書類名】特許請求の範囲
【補正対象項目名】全文
【補正方法】変更
【補正の内容】
【特許請求の範囲】
【請求項１】
特定領域を含む複数の領域に遊技球を振り分け可能に動作する可変入賞装置と、
該可変入賞装置の動作を制御する動作制御手段と、
前記特定領域に遊技球が案内された場合には、前記特定領域に遊技球が案内されない場合より有利な遊技状態とする遊技状態制御手段とを備え、
前記可変入賞装置は、
遊技領域を流下する遊技球を所定の入球経路へ進入させる入口部を有し、該入口部を経由して前記所定の入球経路へ進入した遊技球を前記特定領域と該特定領域とは異なる領域とに振り分けるものであり、
前記動作制御手段は、
所定の第１案内条件が成立した場合に前記可変入賞装置の動作を制御し、
前記所定の入球経路へ入球した遊技球を前記特定領域へ所定の確率で案内する特定入賞可能期間と、該特定入賞可能期間の後に開始され、前記特定領域へは遊技球を案内せずに他の入賞領域へ遊技球を案内する特定入賞不能期間と、該特定入賞不能期間の後に開始され、前記所定の入球経路へ入球した遊技球を前記特定領域へ確実に案内する特定入賞確定期間とを少なくとも発生させることを特徴とする遊技機。
【請求項２】
前記遊技機は、パチンコ遊技機であることを特徴とする請求項１記載の遊技機。
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
積算線量分布を登録可能な記憶部から、患者識別情報に対応する過去の積算線量分布を取得する過去積算線量分布取得手段と、
前記患者識別情報に対応する患者に対する放射線照射の実行中に積算線量分布を第１積算線量分布として算出するとともに、前記過去の積算線量分布に前記第１積算線量分布を積算することで第２積算線量分布を算出し、前記放射線照射の実行中に前記第１積算線量分布及び前記第２積算線量分布の少なくとも一方を表示部に表示する積算線量分布算出手段と、
を有する放射線照射装置。
【請求項２】
前記第１積算線量分布を前記記憶部に登録する積算線量分布登録手段をさらに有する、
請求項１に記載の放射線照射装置。
【請求項３】
前記過去の積算線量分布として、過去の複数の積算線量分布が取得された場合に、前記過去の複数の積算線量分布を位置合せして人体モデルの体表位置ごとに加算することで、過去の加算線量分布を算出する過去加算線量分布算出手段をさらに有し、
前記積算線量分布算出手段は、前記放射線照射の実行中に前記過去の加算線量分布に前記第１積算線量分布を積算することで前記第２積算線量分布を算出する、
請求項１に記載の放射線照射装置。
【請求項４】
前記積算線量分布算出手段は、前記第１積算線量分布及び前記第２積算線量分布を、前記表示部に並べて表示する、
請求項１乃至３のうちいずれか一項に記載の放射線照射装置。
【請求項５】
前記積算線量分布算出手段は、前記第１積算線量分布の表示と、前記第２積算線量分布の表示とを切り替えるように前記表示部に表示する、
請求項１乃至３のうちいずれか一項に記載の放射線照射装置。
【請求項６】
前記積算線量分布算出手段は、前記第１積算線量分布及び前記第２積算線量分布の一方を拡大して前記表示部に表示し、他方を縮小して前記表示部に表示する、
請求項１乃至３のうちいずれか一項に記載の放射線照射装置。
【請求項７】
前記積算線量分布算出手段は、前記第１積算線量分布及び前記第２積算線量分布の一方の全部を前記表示部に逐次表示し、他方の一部を前記表示部に逐次表示する、
請求項１乃至３のうちいずれか一項に記載の放射線照射装置。
【請求項８】
前記積算線量分布算出手段は、前記第１積算線量分布及び前記第２積算線量分布の一方を前記表示部に陰影にて逐次表示し、他方の積算線量の最大値を前記表示部に数値にて逐次表示する、
請求項１乃至３のうちいずれか一項に記載の放射線照射装置。
【請求項９】
前記積算線量分布算出手段は、前記第１積算線量分布及び前記第２積算線量分布を、前記表示部に異なる表示パターンで重畳的に逐次表示する、
請求項１乃至３のうちいずれか一項に記載の放射線照射装置。
【請求項１０】
放射線照射を行なう複数の放射線照射装置による複数の積算線量分布を登録可能な記憶部から、所要の患者識別情報に対応する過去の積算線量分布を取得する過去積算線量分布取得手段と、
前記所要の患者識別情報に対応する患者に対する放射線照射の実行中に積算線量分布を第１積算線量分布として算出するとともに、前記過去の積算線量分布に前記第１積算線量分布を積算することで第２積算線量分布を算出し、前記放射線照射の実行中に前記第１積算線量分布及び前記第２積算線量分布の少なくとも一方を表示部に表示する積算線量分布算出手段と、
を有する線量管理システム。
【手続補正２】
【補正対象書類名】明細書
【補正対象項目名】０００８
【補正方法】変更
【補正の内容】
【０００８】
本実施形態に係る放射線照射装置は、上述した課題を解決するために、積算線量分布を登録可能な記憶部から、患者識別情報に対応する過去の積算線量分布を取得する過去積算線量分布取得手段と、前記患者識別情報に対応する患者に対する放射線照射の実行中に積算線量分布を第１積算線量分布として算出するとともに、前記過去の積算線量分布に前記第１積算線量分布を積算することで第２積算線量分布を算出し、前記放射線照射の実行中に前記第１積算線量分布及び前記第２積算線量分布の少なくとも一方を表示部に表示する積算線量分布算出手段と、を有する。
【手続補正３】
【補正対象書類名】明細書
【補正対象項目名】０００９
【補正方法】変更
【補正の内容】
【０００９】
本実施形態に係る線量管理システムは、上述した課題を解決するために、放射線照射を行なう複数の放射線照射装置による複数の積算線量分布を登録可能な記憶部から、所要の患者識別情報に対応する過去の積算線量分布を取得する過去積算線量分布取得手段と、前記所要の患者識別情報に対応する患者に対する放射線照射の実行中に積算線量分布を第１積算線量分布として算出するとともに、前記過去の積算線量分布に前記第１積算線量分布を積算することで第２積算線量分布を算出し、前記放射線照射の実行中に前記第１積算線量分布及び前記第２積算線量分布の少なくとも一方を表示部に表示する積算線量分布算出手段と、を有する。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
４種類のスーツが、クラブ、ダイヤ、ハート及びスペード、又はそれらに類似するスーツから成るトランプカードであって、
元素周期表の第１周期、第２周期及び第３周期に属する１８個の元素が一つずつ表示された１８枚の第１グループのトランプカードと、
元素周期表の第４周期に属する１８個の元素が一つずつ表示された１８枚の第２グループのトランプカードと、
元素周期表の第５周期に属する１８個の元素が一つずつ表示された１８枚の第３グループのトランプカードと、
元素周期表の第６周期の第３族を除く各族の元素と前記第３族のランタノイドを代表する１つの元素とを合わせた１８個の元素が一つずつ表示された１８枚の第４グループのトランプカードと、
を備えるトランプカード。
【請求項２】
請求項１に記載のトランプカードであって、
前記第１グループ、第２グループ、第３グループ及び第４グループの各トランプカードには、フェイスの中央に、表示する元素の電子配置図が表示され、左サイドの上部及び右サイドの下部に、他のグループから区別できる前記スーツと、前記電子配置図が表す元素の原子番号の大きさに基づいて順位付けられた、該元素の各グループ内でのランクを表す数字又は記号とから成るインデックスが表示されているトランプカード。
【手続補正２】
【補正対象書類名】明細書
【補正対象項目名】０００８
【補正方法】変更
【補正の内容】
【０００８】
本発明は、４種類のスーツが、クラブ、ダイヤ、ハート及びスペード、又はそれらに類似するスーツから成るトランプカードであって、元素周期表の第１周期、第２周期及び第３周期に属する１８個の元素が一つずつ表示された１８枚の第１グループのカードと、元素周期表の第４周期に属する１８個の元素が一つずつ表示された１８枚の第２グループのカードと、元素周期表の第５周期に属する１８個の元素が一つずつ表示された１８枚の第３グループのカードと、元素周期表の第６周期の第３族を除く各族の元素と前記第３族のランタノイドを代表する１つの元素とを合わせた１８個の元素が一つずつ表示された１８枚の第４グループのカードと、を備える。
そして、第１グループ、第２グループ、第３グループ及び第４グループの各カードには、フェイスの中央に、表示する元素の電子配置図が表示され、左サイドの上部及び右サイドの下部に、他のグループから区別できるスーツと、電子配置図が表す元素の原子番号の大きさに基づいて順位付けられた、その元素の各グループ内でのランクを表す数字又は記号とから成るインデックスが表示されている。
このトランプカードは、各スーツの枚数が、通常のトランプよりも多い１８枚で構成されているが、その他の点は通常のトランプと共通しているため、通常のトランプで馴染みがある、ババ抜き、七並べ、神経衰弱、ページワン、大富豪等のゲームを同じように行うことができる。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
遊技球を誘導する球誘導部に設けられた所定の流下部と、
前記流下部の真下とずれた位置に配置され、前記遊技球を所定の入賞部へ誘導する入賞誘導部と、
前記流下部から流下する前記遊技球を受け止める球受部を有し、接続状態では、前記流下部の下側であって前記入賞誘導部に遊技球が進行可能な状態に前記球受部を位置させ、非接続状態では、前記遊技球を排出する排出誘導部へ繋がる中継空間を、前記流下部の下側に形成する可動部材と、
該可動部材を駆動する駆動部と、
前記接続状態のときの前記球受部の下側であって、鉛直方向において少なくとも一部が前記流下部と重なるように設けられ、遊技球を上方側へ跳ね返らせることが可能な反射部とを有することを特徴とする遊技機。
【請求項２】
前記遊技機は、パチンコ遊技機であることを特徴とする請求項１に記載の遊技機。
【手続補正２】
【補正対象書類名】明細書
【補正対象項目名】０００６
【補正方法】変更
【補正の内容】
【０００６】
かかる課題を解決するため、請求項１記載の発明は、
遊技球を誘導する球誘導部に設けられた所定の流下部と、
前記流下部の真下とずれた位置に配置され、前記遊技球を所定の入賞部へ誘導する入賞誘導部と、
前記流下部から流下する前記遊技球を受け止める球受部を有し、接続状態では、前記流下部の下側であって前記入賞誘導部に遊技球が進行可能な状態に前記球受部を位置させ、非接続状態では、前記遊技球を排出する排出誘導部へ繋がる中継空間を、前記流下部の下側に形成する可動部材と、
該可動部材を駆動する駆動部と、
前記接続状態のときの前記球受部の下側であって、鉛直方向において少なくとも一部が前記流下部と重なるように設けられ、遊技球を上方側へ跳ね返らせることが可能な反射部とを有することを特徴とする。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
かみそりヘッド（２）に横軸回りに回転駆動される回転刃（１７）と、回転刃（１７）を回転自在に軸支する回転刃支持体（１８）と、振動発生源（３８）と、振動発生源（３８）を支持する回転刃駆動体（１１）が設けられており、
回転刃支持体（１８）は回転刃駆動体（１１）に取外し可能に係合装着されており、
振動発生源（３８）で発生した振動を、回転刃駆動体（１１）および回転刃支持体（１８）を介して内刃（１７）に伝動することを特徴とする電気かみそり。
【請求項２】
回転刃支持体（１８）と回転刃駆動体（１１）が、互いに凹凸係合する駆動側連結体（３３）と受動側連結体（３５）で連結してある請求項１に記載の電気かみそり。
【請求項３】
振動発生源（３８）が、中空箱状の駆動側連結体（３３）の内部に配置されて、駆動側連結体（３３）の周囲壁で支持してある請求項２に記載の電気かみそり。
【請求項４】
振動発生源（３８）が、偏心錘（４０）と、偏心錘（４０）を回転駆動するモーター（１２・３９）を備えている請求項１から３のいずれかひとつに記載の電気かみそり。
【請求項５】
偏心錘（４０）を回転駆動する起振モーター（３９）が、回転刃（１７）を回転駆動するメインモーター（１２）とは別に設けてある請求項４に記載の電気かみそり。
【請求項６】
メインモーター（１２）および起振モーター（３９）を起動するスイッチ（４）を備えており、
スイッチ（４）がオン操作されるのと同時に起振モーター（３９）を起動し、起振モーター（３９）が起動したのちにメインモーター（１２）を起動させる請求項５に記載の電気かみそり。
【請求項７】
スイッチ（４）がオフ操作されるのと同時にメインモーター（１２）を停止させ、メインモーター（１２）が停止したのちに起振モーター（３９）を停止させる請求項５、または６に記載の電気かみそり。
【請求項８】
スイッチ（４）がオン操作されるのと同時に起振モーター（３９）を起動し、起振モーター（３９）が起動したのちにメインモーター（１２）を起動させ、
スイッチ（４）がオフ操作されるのと同時にメインモーター（１２）を停止させ、メインモーター（１２）が停止したのちに起振モーター（３９）を停止させる請求項５から７のいずれかひとつに記載の電気かみそり。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
内刃（６）および外刃（７）を備えたせん断刃ユニット（８）が、本体ケース（１）の上部に設けたユニット支持体（９）で傾動可能に支持されており、
本体ケース（１）とせん断刃ユニット（８）との間に、せん断刃ユニット（８）を傾動不能にロックするロック構造と、せん断刃ユニット（８）が傾動するときの傾動反力を調整する反力調整構造が設けられており、
反力調整構造は、本体ケース（１）とせん断刃ユニット（８）のいずれか一方に設けられる切換え調整体（４１）と、他方に設けられる反力調整体（４２）と、切換え調整体（４１）を切換え操作する操作具（４３）を備えており、
切換え調整体（４１）を操作具（４３）で切換え操作した状態において、両調整体（４１・４２）が互いに係合ないし摩擦接合して傾動反力を発生しており、
せん断刃ユニット（８）をロック構造でロック保持した状態において、切換え調整体（４１）と反力調整体（４２）が係合ないし摩擦接合して、せん断刃ユニット（８）をロック構造と協同して位置保持している電気かみそり。
【請求項２】
反力調整体（４２）の中心軸線（Ｐ２）が、切換え調整体（４１）の中心軸線（Ｐ１）および切換え調整体（４１）のスライド移動ライン（Ｌ１）に対して前後にずらしてある請求項１に記載の電気かみそり。
【請求項３】
ロック構造が、可動ロック体（２７）と、切換え調整体（４１）の中心軸線（Ｐ１）上に設けられる固定ロック体（２８）と、可動ロック体（２７）をロック状態とアンロック状態に切換える操作具（２９）を備えており、
切換え調整体（４１）と反力調整体（４２）が係合ないし摩擦接合して傾動反力を発揮している反力付与状態において、可動ロック体（２７）が固定ロック体（２８）と傾動反力に抗しながら係合して、せん断刃ユニット（８）を切換え調整体（４１）の中心軸線（Ｐ１）の側へ傾動させて前後傾動不能にロックしている請求項２に記載の電気かみそり。
【請求項４】
ロック構造が、切換え調整体（４１）を兼ねて本体ケース（１）に設けた可動ロック体（２７）と、せん断刃ユニット（８）に設けた固定ロック体（２８）と、可動ロック体（２７）を上下に切換え操作する操作具（２９）を備えており、
反力調整構造が、本体ケース（１）に設けられて上下に切換え操作される切換え調整体（４１）と、せん断刃ユニット（８）で前後スライド自在に案内支持した反力調整体（４２）と、反力調整体（４２）を中立位置へ向かって移動付勢する復帰ばね（４６・４７）を備えており、
可動ロック体（２７）および切換え調整体（４１）は操作具（２９・４３）でスライド操作されて、切換え調整体（４１）が反力調整体（４２）と係合する反力付与状態と、可動ロック体（２７）が固定ロック体（２８）と係合するロック状態に切換え可能である請求項１に記載の電気かみそり。
【請求項５】
ロック構造が、棒状の可動ロック体（２７）と、可動ロック体（２７）の上端と係脱する凹部からなる固定ロック体（２８）と、可動ロック体（２７）をスライド操作する操作具（２９）を備えており、
反力調整構造の反力調整体（４２）は、それぞれせん断刃ユニット（８）で前後スライド自在に案内支持した下側の前段スライダー（４４）と上側の後段スライダー（４５）で構成されて、両スライダー（４４・４５）のそれぞれが復帰ばね（４６・４７）で中立位置へ向かって移動付勢されており、
前段スライダー（４４）と後段スライダー（４５）には、切換え調整体（４１）と係合する連結穴（５３・５４）が上下貫通状に形成されており、
切換え調整体（４１）は、切換え調整体（４１）が前段スライダー（４４）の連結穴（５３）と係合する低反力状態と、切換え調整体（４１）が前段スライダー（４４）および後段スライダー（４５）の両連結穴（５３・５４）と係合する高反力状態とに切換え可能であり、
ロック状態において可動ロック体（２７）が固定ロック体（２８）と係合している請求項４に記載の電気かみそり。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
変動ゲームの演出内容を特定する際に使用される演出パターンを、複数の演出パターンの中から決定する演出パターン決定手段と、
前記演出パターンに基づき、変動ゲームを実行させるように制御する演出制御手段と、
実行が保留される変動ゲームに関する先読み情報を出力する先読み情報出力手段と、
前記先読み情報出力手段が出力した先読み情報を利用して、実行が保留される変動ゲームの演出内容を事前に判定する事前判定手段と、
前記事前判定手段が判定した変動ゲームの演出内容に応じて先読み演出を実行させる先読み演出実行手段と、を備え、
１又は複数の演出パターンによって構成される演出パターン群が複数用意されており、
前記演出パターン決定手段は、複数の演出パターン群の中から演出パターン群を決定し、当該演出パターン群の中から、演出パターンを決定するように構成されており、
前記演出制御手段は、複数の演出モードの中から演出モード設定手段により設定された演出モードと、前記演出パターン決定手段により決定された演出パターンに基づき、変動ゲームを実行させるように構成されており、
前記先読み情報出力手段は、現在の演出パターン群の中から決定される演出パターンに基づき、実行が保留される変動ゲームの演出内容を事前に特定し、当該変動ゲームの演出内容を特定する先読み情報を出力するように構成されており、
前記先読み情報は、演出モード毎に、１つの演出パターンを特定可能に構成されていると共に、各先読み情報には、１又は複数の演出パターンが対応付けられており、
前記事前判定手段は、前記先読み情報出力手段から入力した前記先読み情報と、設定されている演出モードに基づき、変動ゲームの演出内容を事前に判定することを特徴とする遊技機。
【請求項２】
前記先読み情報には、当りの有無についての当選情報と、実行が保留されている変動ゲームの数に関する保留情報と、変動ゲームが当りとなる場合に付与される当り遊技の種類を示す当り遊技情報が含まれていることを特徴とする請求項１に記載の遊技機。
【請求項３】
前記先読み情報には、リーチ演出が実行されることが確定していることを示すリーチ確定情報、又はリーチ演出が実行される可能性があることを示すリーチ可能情報、リーチ演出が実行されないことが確定していることを示すリーチなし確定情報のいずれかが含まれている場合があることを特徴とする請求項１又は請求項２に記載の遊技機。
【請求項４】
前記先読み情報には、確変状態であるか否かを示す確変情報が含まれることを特徴とする請求項１〜請求項３のうちいずれか一項に記載の遊技機。
【請求項５】
コマンドを出力する主制御基板と、コマンドに基づき各種処理を行う演出制御基板を備え、
前記主制御基板は、前記演出パターン決定手段と、前記先読み情報出力手段を備え、
前記演出制御基板は、前記演出制御手段と、前記事前判定手段と、前記先読み演出実行手段を備えることを特徴とする請求項１〜請求項４のうちいずれか一項に記載の遊技機。
【手続補正２】
【補正対象書類名】明細書
【補正対象項目名】０００７
【補正方法】変更
【補正の内容】
【０００７】
上記問題点を解決する遊技機は、変動ゲームの演出内容を特定する際に使用される演出パターンを、複数の演出パターンの中から決定する演出パターン決定手段と、前記演出パターンに基づき、変動ゲームを実行させるように制御する演出制御手段と、実行が保留される変動ゲームに関する先読み情報を出力する先読み情報出力手段と、前記先読み情報出力手段が出力した先読み情報を利用して、実行が保留される変動ゲームの演出内容を事前に判定する事前判定手段と、前記事前判定手段が判定した変動ゲームの演出内容に応じて先読み演出を実行させる先読み演出実行手段と、を備え、１又は複数の演出パターンによって構成される演出パターン群が複数用意されており、前記演出パターン決定手段は、複数の演出パターン群の中から演出パターン群を決定し、当該演出パターン群の中から、演出パターンを決定するように構成されており、前記演出制御手段は、複数の演出モードの中から演出モード設定手段により設定された演出モードと、前記演出パターン決定手段により決定された演出パターンに基づき、変動ゲームを実行させるように構成されており、前記先読み情報出力手段は、現在の演出パターン群の中から決定される演出パターンに基づき、実行が保留される変動ゲームの演出内容を事前に特定し、当該変動ゲームの演出内容を特定する先読み情報を出力するように構成されており、前記先読み情報は、演出モード毎に、１つの演出パターンを特定可能に構成されていると共に、各先読み情報には、１又は複数の演出パターンが対応付けられており、前記事前判定手段は、前記先読み情報出力手段から入力した前記先読み情報と、設定されている演出モードに基づき、変動ゲームの演出内容を事前に判定することを要旨とする。
【手続補正３】
【補正対象書類名】明細書
【補正対象項目名】００１１
【補正方法】削除
【補正の内容】